(57)【要約】【課題】特性が変化しても、外光の照度を検出する際に誤差が生じるのを抑制できる受光装置および電子機器を提供すること。【解決手段】受光装置１は、外光を受光する受光状態、または、外光が遮断される遮光状態のいずれかの状態となる第１のＰＩＮ型ダイオード８１と、遮光状態である第２のＰＩＮ型ダイオード８２と、外光の照度を検出する照度検出回路９０と、を備える。照度検出回路９０は、ＬＵＴ９５を備える。このＬＵＴ９５は、第１のＰＩＮ型ダイオード８１が遮光状態の場合における端子Ｐの電圧に基づいて、照度検出回路９０が検出した外光の照度を補正する。【選択図】図１
2008033226.tif 000002
【特許請求の範囲】
【請求項１】
光電変換素子を含んでなり、受光した光を電気信号に変換して出力する受光部と、
前記電気信号に基づいて、前記受光部において受光した外光の照度を検出する検出部と、
前記受光部に入射する光の光量を制御する光量制御部と、
前記受光部が遮光された状態で出力する前記電気信号に基づいて、前記検出部が検出した外光の照度を補正する補正部と、を備えてなることを特徴とする特徴とする受光装置。
【請求項２】
前記受光部は、受光する光量が前記光量制御部により制御される第１の光電変換素子と、遮光状態である第２の光電変換素子と、を更に備えており、
前記補正部は、前記第１の光電変換素子が遮光された状態で出力する前記電気信号と、前記第２の光電変換素子が出力する電気信号と、に基づいて、前記検出部が検出する外光の照度を補正することを特徴とする請求項１に記載の受光装置。
【請求項３】
前記第１の光電変換素子が出力する前記電気信号、及び前記第２の光電変換素子が出力する電気信号のうち少なくともいずれか一方を制御して前記検出部が検出する外光の照度を補正することを特徴とする請求項２に記載の受光装置
【請求項４】
液晶パネルと、
前記液晶パネルを照明する照明装置と、
光電変換素子を含んでなり、受光した光を電気信号に変換して出力する受光部と、前記電気信号に基づいて、前記受光部において受光した外光の照度を検出する検出部と、前記受光部に入射する光の光量を制御する光量制御部と、前記受光部が遮光された状態で出力する前記電気信号に基づいて、前記検出部が検出した外光の照度を補正する補正部と、を備える受光装置と、を具備してなり、
前記受光装置が検出した外光の光量に基づいて前記照明装置が出射する光の光量を制御することを特徴とする液晶装置。
【請求項５】
前記受光部は、受光する光量が前記光量制御部で制御さえる第１の光電変換素子と、遮光状態である第２の光電変換素子と、を更に備えており、
前記補正部は、前記第１の光電変換素子が遮光された状態で出力する前記電気信号と、前記第２の光電変換素子が出力する電気信号と、に基づいて、前記検出部が検出する外光の照度を補正することを特徴とする請求項４に記載の液晶装置。
【請求項６】
前記第１の光電変換素子が出力する前記電気信号、または、前記第２の光電変換素子が出力する電気信号の少なくともいずれか一方を制御することにより、前記検出部が検出する外光の照度を補正することを特徴とする請求項５に記載の液晶装置。
【請求項７】
受光装置を備える第１の部位と、
前記受光装置を遮光できるように前記第１の部位に可動状態で取り付けられた第２の部位と、を備え、
前記受光装置は、
光電変換素子を含んでなり受光した光を電気信号に変換して出力する受光部と、
前記電気信号に基づいて、前記受光部において受光した外光の照度を検出する検出部と、
前記受光部が前記第２の部位により遮光された状態で出力する前記電気信号に基づいて、前記検出部が検出した外光の照度を補正する補正部と、を備えてなることを特徴とする電子機器
【発明の詳細な説明】
【技術分野】
【０００１】
本発明は、受光装置、受光装置を搭載した液晶装置、および電子機器に関する。
【背景技術】
【０００２】
従来より、外光の照度を検出する受光装置がある。この受光装置は、例えば、光電変換素子および照度検出回路を備える。
【０００３】
光電変換素子は、受光した外光を電気信号に変換して出力する。この電気信号は、光電変換素子が受光した外光の光量に応じて変化する。すなわち、受光した外光の光量が多いほど、出力する電気信号が大きくなり、受光した外光の光量が少ないほど、出力する電気信号が小さくなる。
【０００４】
照度検出回路は、光電変換素子が出力した電気信号の大きさに基づいて、外光の照度を検出する。具体的には、光電変換素子が出力した電気信号の大きさを測定して、電気信号が大きいほど、光電変換素子が受光した外光の光量が多いと判定し、電気信号が小さいほど、光電変換素子が受光した外光の光量が少ないと判定する。そして、判定した外光の光量から、外光の照度を検出する。
【０００５】
以上のような受光装置は、例えば、液晶装置に設けられる（例えば、特許文献１参照）。特許文献１に記載の液晶装置は、液晶パネルと、この液晶パネルに対向配置されて光を出射するバックライトと、を備える。
【０００６】
液晶パネルは、一対の基板と、これら一対の基板の間に設けられた液晶と、を備える。この液晶パネルには、一対の電極が設けられており、これら一対の電極により液晶に駆動電圧を印加して、液晶の配向や秩序を変化させる。すると、液晶を透過するバックライトからの光が変化して、階調表示が行われる。
【０００７】
この液晶装置の表示の視認性は、太陽光といった外光による液晶装置の周囲の明るさによって変化する。すなわち、液晶装置の周囲が明るくなるに従って、液晶装置の周囲の明るさと、液晶装置の表示領域の明るさと、の差分が小さくなるので、液晶装置の表示の視認性が低下する。
【０００８】
そこで、上述の受光装置により外光の照度を検出し、検出した外光の照度に応じて、バックライトから出射する光量を制御する。これにより、液晶装置の周囲の明るさに応じて、液晶パネルに供給されるバックライトからの光量を調整して、液晶装置の表示の視認性を向上している。
【０００９】
【特許文献１】特開２００５−１２１９９７号公報
【発明の開示】
【発明が解決しようとする課題】
【００１０】
ところで、上述の受光装置が備える光電変換素子は、外光を受光したり、動作時間が経過するにつれて、特性が徐々に変化する。光電変換素子の特性が変化すると、光電変換素子が出力する電気信号は、受光した外光の光量が一定であっても変化する。このため、受光装置で検出した外光の照度に誤差が生じる場合があった。
【００１１】
そこで、本発明は、上述の課題に鑑みてなされたものであり、特性が変化しても、外光の照度を検出する際に誤差が生じるのを抑制できる受光装置および電子機器を提供することを目的とする。
【課題を解決するための手段】
【００１２】
本発明の受光装置は、光電変換素子を含んでなり、受光した光を電気信号に変換して出力する受光部と、前記電気信号に基づいて、前記受光部において受光した外光の照度を検出する検出部と、前記受光部に入射する光の光量を制御する光量制御部と、前記受光部が遮光された状態で出力する前記電気信号に基づいて、前記検出部が検出した外光の照度を補正する補正部と、を備えてなることを特徴とする特徴とする。
【００１３】
すなわち、補正部により、遮光状態において受光部が出力する電気信号に基づいて、検出部により検出した外光の照度を補正する。
【００１４】
より具体的には、光電変換素子の特性が変化する前に、遮光状態において光電変換素子が出力する電気信号を測定する。光電変換素子の特性が変化した後にあっては、受光状態において光電変換素子が出力する電気信号と、遮光状態において光電変換素子が出力する電気信号と、を測定する。そして、光電変換素子の特性が変化する前に測定した遮光状態での電気信号と、光電変換素子の特性が変化した後に測定した遮光状態での電気信号と、の差分、すなわち光電変換素子の特性が変化した影響を求め、上述の差分に基づいて、検出部により検出した外光の照度を補正する。
【００１５】
以上により、検出部により検出した外光の照度を、光電変換素子の特性が変化した影響を考慮しつつ補正することで、光電変化素子の特性が変化しても、外光の照度を検出する際に誤差が生じるのを抑制できる。
【００１６】
本発明の受光装置は、前記受光部は、受光する光量が前記光量制御部により制御される第１の光電変換素子と、遮光状態である第２の光電変換素子と、を更に備えており、前記補正部は、前記第１の光電変換素子が遮光された状態で出力する前記電気信号と、前記第２の光電変換素子が出力する電気信号と、に基づいて、前記検出部が検出する外光の照度を補正することを特徴とする。
【００１７】
光電変換素子の特性は、光を受光するにつれて変化する。このため、受光状態になり得る第１の光電変換素子と、遮光状態のままで受光状態としない第２の光電変換素子とでは、時間変化に伴い特性が異なってくるので、遮光状態において第１の光電変換素子が出力する電気信号と、第２の光電変換素子が出力する電気信号とは、異なる場合がある。そこで、この発明によれば、補正部により、遮光状態において第１の光電変換素子が出力する電気信号と、第２の光電変換素子が出力する電気信号と、に基づいて、照度検出部が検出した外光の照度を補正する。
【００１８】
すなわち、まず、遮光状態において第１の光電変換素子が出力する電気信号と、第２の光電変換素子が出力する電気信号と、を測定する。次に、遮光状態において測定した第１の光電変換素子からの電気信号と、第２の光電変換素子からの電気信号と、の差分、すなわち外光を受光したために第１の光電変換素子の特性が変化した影響を求める。次に、受光状態において第１の光電変換素子が出力する電気信号を測定し、上述の差分に基づいて、検出部により検出する外光の照度を補正する。
【００１９】
以上により、検出部により検出した外光の照度を、光を受光したことにより第１の光電変換素子の特性が変化した影響を考慮しつつ補正することで、光を受光したことにより第１の光電変換素子の特性が変化しても、外光の照度を検出する際に誤差が生じるのを抑制できる。
【００２０】
本発明の受光装置は、前記第１の光電変換素子が出力する前記電気信号、または、前記第２の光電変換素子が出力する電気信号の少なくともいずれか一方を制御して、前記検出部が検出する外光の照度を補正することを特徴とする。
【００２１】
この発明によれば、補正部により、遮光状態において第１の光電変換素子が出力した電気信号と、第２の光電変換素子が出力した電気信号と、に基づいて、第１の光電変換素子が出力する電気信号、または、第２の光電変換素子が出力する電気信号の少なくともいずれかを制御する。
【００２２】
すなわち、まず、遮光状態において第１の光電変換素子が出力する電気信号と、第２の光電変換素子が出力する電気信号と、を測定する。次に、遮光状態において測定した第１の光電変換素子からの電気信号と、第２の光電変換素子からの電気信号と、の差分、すなわち外光を受光したために第１の光電変換素子の特性が変化した影響を求める。次に、上述の差分に基づいて、第１の光電変換素子が出力する電気信号、または、第２の光電変換素子が出力する電気信号の少なくともいずれか一方を制御する。該制御は、例えば、第１の光電変換素子が出力する電気信号と、第２の光電変換素子が出力する電気信号が等しくなるよう制御するとよい。もちろん、第１の光電変換素子が出力する電気信号と、第２の光電変換素子が出力する電気信号とが一定の関係となるように該制御を行えば両者が等しくなくとも本発明の目的は達成できる。
【００２３】
以上により、遮光状態において第１の光電変換素子が出力する電気信号、又は第２の光電変換素子が出力する電気信号と、を制御することで、第１の光電変換素子が出力する電気信号と、第２の光電変換素子が出力する電気信号と、の間から、光を受光したことにより第１の光電変換素子の特性が変化した影響を除去できる。よって、光を受光したことにより第１の光電変換素子の特性が変化しても、外光の照度を検出する際に誤差が生じるのを抑制できる。
【００２４】
本発明の液晶装置は、液晶パネルと、前記液晶パネルを照明する照明装置と、光電変換素子を含んでなり、受光した光を電気信号に変換して出力する受光部と、前記電気信号に基づいて、前記受光部において受光した外光の照度を検出する検出部と、前記受光部に入射する光の光量を制御する光量制御部と、前記受光部が遮光された状態で出力する前記電気信号に基づいて、前記検出部が検出した外光の照度を補正する補正部と、を備える受光装置と、を具備してなり、前記受光装置が検出した外光の光量に基づいて前記照明装置が出射する光の光量を制御することを特徴とする。そして、前記受光部が、前記光量制御部によって受光する光量が制御される第１の光電変換素子と、遮光状態である第２の光電変換素子と、を更に備えており、前記補正部は、前記第１の光電変換素子が遮光された状態で出力する前記電気信号と、前記第２の光電変換素子が出力する電気信号と、に基づいて、前記検出部が検出する外光の照度を補正することを特徴とする。また、前記第１の光電変換素子が出力する前記電気信号、または、前記第２の光電変換素子が出力する電気信号の少なくともいずれか一方を制御することにより、前記検出部が検出する外光の照度を補正することを特徴とする。
【００２５】
上述の受光装置により外光の照度を検出し、検出した外光の照度に応じて、照明装置から出射する光量を制御する。これにより、液晶装置の周囲の明るさに応じて、液晶パネルに供給される照明装置からの光量が調整され、液晶装置の表示の視認性が向上する。本発明によれば、受光装置を構成する光電変換素子の特性が時間の経過に伴って変化したとしても、照明装置が出射する光の光量と外光の照度との関係が変化しないので、液晶装置の視認性を長期間保持することができる。なお、照明装置としては、液晶パネルを背面側から照射するバックライトが一般的であるが、液晶パネルを視認側から照射するフロントライトや、側面から照射するサイドライト等を用いることも可能である。第１及び第２の光電変換素子は、前記液晶パネルを構成するガラス基板上に形成することができる。
【００２６】
本発明の電子機器は、受光装置を備える第１の部位と、前記受光装置を遮光できるように前記第１の部位に可動状態で取り付けられた第２の部位と、を備え、前記受光装置は、光電変換素子を含んでなり受光した光を電気信号に変換して出力する受光部と、前記電気信号に基づいて、前記受光部において受光した外光の照度を検出する検出部と、前記受光部が前記第２の部位により遮光された状態で出力する前記電気信号に基づいて、前記検出部が検出した外光の照度を補正する補正部と、を備えてなることを特徴とする。そして、前記受光部が、前記光量制御部によって受光する光量が制御される第１の光電変換素子と、遮光状態である第２の光電変換素子と、を更に備えており、前記補正部は、前記第１の光電変換素子が遮光された状態で出力する前記電気信号と、前記第２の光電変換素子が出力する電気信号と、に基づいて、前記検出部が検出する外光の照度を補正するように構成するとよい。或いは、前記第１の光電変換素子が出力する前記電気信号、または、前記第２の光電変換素子が出力する電気信号の少なくともいずれか一方を制御することにより、前記検出部が検出する外光の照度を補正するように構成してもよい。
【００２７】
電子機器の具体的としては、例えば、第１の部位に前述の液晶装置を搭載し、第２の部位に操作部等を搭載した本体部を搭載した、携帯電話、パーソナルコンピュータ、モバイル機器等が上げられる。特に、第１の部位と第２の部位とが折りたたみ機構や、スライド機構により開閉できる構造の電子機器であれば、第１の部位と第２の部位との開閉により前記受光装置の遮光を行うことができる。
【発明を実施するための最良の形態】
【００２８】
以下、本発明の実施形態を図面に基づいて説明する。なお、以下の実施形態および変形例の説明にあたって、同一構成要件については同一符号を付し、その説明を省略もしくは簡略化する。
【００２９】
＜第１実施形態＞
図１は、本発明の第１実施形態に係る受光装置１の回路図である。
受光装置１は、光電変換素子である第１のＰＩＮ型ダイオード８１および第２のＰＩＮ型ダイオード８２とを受光部として備え、照度検出部としての照度検出回路９０と、を備える。
【００３０】
第１のＰＩＮ型ダイオード８１は、外光を受光する受光状態、または、外光が遮断される遮光状態のいずれかの状態となる。この第１のＰＩＮ型ダイオード８１は、受光状態では、外光の照度のほか、ＰＩＮ型ダイオード自体の温度などに応じて、カソードからアノードに向かって電流を出力する。一方、遮光状態では、ＰＩＮ型ダイオード自体の温度といった外光の照度以外の影響に応じて、カソードからアノードに向かって電流を出力する。
第１のＰＩＮ型ダイオード８１のアノードは、低電位側電源ＶＬＬに接続され、第１のＰＩＮ型ダイオード８１のカソードは、端子Ｐに接続されている。このため、端子Ｐには、第１のＰＩＮ型ダイオード８１が出力した電流が流れる。
【００３１】
第２のＰＩＮ型ダイオード８２は、常に遮光状態である。この第２のＰＩＮ型ダイオード８２は、常に、ＰＩＮ型ダイオード自体の温度といった外光の照度以外の影響に応じて、カソードからアノードに向かって電流を出力する。
第２のＰＩＮ型ダイオード８２のアノードは、低電位側電源ＶＬＬに接続され、第２のＰＩＮ型ダイオード８２のカソードは、端子Ｑに接続されている。このため、端子Ｑには、第２のＰＩＮ型ダイオード８２が出力した電流が流れる。
【００３２】
照度検出回路９０は、第１の検知回路９１、第２の検知回路９１Ａ、選択回路９２、インバータ９３、カウンタ９４、および補正部としてのＬＵＴ（Look Up Table）９５を備える。
【００３３】
第１の検知回路９１は、コンデンサ９１１およびスイッチング素子９１２を備える。この第１の検知回路９１は、端子Ｐに流れる電流に基づいて、端子Ｐの電圧を変動させる。
【００３４】
第２の検知回路９１Ａは、コンデンサ９１１Ａおよびスイッチング素子９１２Ａを備える。この第２の検知回路９１Ａは、端子Ｑに流れる電流に基づいて、端子Ｑの電圧を変動させる。
【００３５】
スイッチング素子９１２，９１２Ａは、互いに連動して動作し、コンデンサ９１１，９１１Ａをそれぞれ充電する。
具体的には、スイッチング素子９１２の一端は、コンデンサ９１１の一方の電極に接続され、スイッチング素子９１２の他端は、高電位側電源の電圧ＶＤＤに接続されている。また、スイッチング素子９１２Ａの一端は、コンデンサ９１１Ａの一方の電極に接続され、スイッチング素子９１２Ａの他端は、高電位側電源の電圧ＶＤＤに接続されている。
スイッチング素子９１２をオン状態にすると同時に、スイッチング素子９１２Ａをオン状態にすると、オン状態のスイッチング素子９１２，９１２Ａを介して、高電位側電源の電圧ＶＤＤからコンデンサ９１１，９１１Ａに電荷がそれぞれ供給される。これにより、コンデンサ９１１，９１１Ａをそれぞれ充電する。
【００３６】
コンデンサ９１１，９１１Ａは、それぞれ、端子Ｐ，Ｑに流れる電流に基づいて、放電される。
【００３７】
具体的には、コンデンサ９１１の一方の電極は、端子Ｐに接続され、コンデンサ９１１の他方の電極は、基準電位電源の電圧ＧＮＤに接続されている。このコンデンサ９１１は、スイッチング素子９１２を介して高電位側電源の電圧ＶＤＤにより充電された電荷に応じた電圧を、端子Ｐを介して、第１のＰＩＮ型ダイオード８１のカソードに印加する。これにより、第１のＰＩＮ型ダイオード８１には、逆バイアス電圧が印加される。
【００３８】
そして、受光状態では、第１のＰＩＮ型ダイオード８１が、外光の照度のほか、ＰＩＮ型ダイオード自体の温度などに応じて、カソードからアノードに向かって電流を出力する。すると、この電流に基づいて、コンデンサ９１１からは、充電されていた電荷が徐々に放電される。そして、このコンデンサ９１１の一方の電極からは、放電されずに残っている電荷に応じた電圧が出力される。
【００３９】
また、遮光状態では、第１のＰＩＮ型ダイオード８１が、ＰＩＮ型ダイオード自体の温度といった外光の照度以外の影響に応じて、カソードからアノードに向かって電流を出力する。すると、この電流に基づいて、コンデンサ９１１からは、充電されていた電荷が徐々に放電される。そして、このコンデンサ９１１の一方の電極からは、放電されずに残っている電荷に応じた電圧が出力される。
なお、端子Ｐは、コンデンサ９１１の一方の電極に接続されているので、端子Ｐの電圧は、コンデンサ９１１に放電されずに残っている電荷に応じた電圧となる。
【００４０】
また、コンデンサ９１１Ａの一方の電極は、端子Ｑに接続され、コンデンサ９１１Ａの他方の電極は、基準電位電源の電圧ＧＮＤに接続されている。このコンデンサ９１１Ａは、スイッチング素子９１２Ａを介して高電位側電源の電圧ＶＤＤにより充電された電荷に応じた電圧を、端子Ｑを介して、第２のＰＩＮ型ダイオード８２のカソードに印加する。これにより、第２のＰＩＮ型ダイオード８２には、逆バイアス電圧が印加される。
【００４１】
そして、常に遮光状態である第２のＰＩＮ型ダイオード８２が、ＰＩＮ型ダイオード自体の温度といった外光の照度以外の影響に応じて、カソードからアノードに向かって電流を出力する。すると、この電流に基づいて、コンデンサ９１１Ａからは、充電されていた電荷が徐々に放電される。そして、このコンデンサ９１１Ａの一方の電極からは、放電されずに残っている電荷に応じた電圧が出力される。
なお、端子Ｑは、コンデンサ９１１Ａの一方の電極に接続されているので、端子Ｑの電圧は、コンデンサ９１１Ａに放電されずに残っている電荷に応じた電圧となる。
【００４２】
選択回路９２は、端子Ｐの電圧または端子Ｑの電圧のいずれかを選択的に出力する。
具体的には、選択回路９２の入力端には、端子Ｐまたは端子Ｑのいずれかが所定間隔おきに交互に接続され、選択回路９２の出力端には、インバータ９３の入力端が接続されている。選択回路９２の入力端が端子Ｐに接続されると、選択回路９２の出力端からは、端子Ｐの電圧が出力される。一方、選択回路９２の入力端が端子Ｑに接続されると、選択回路９２の出力端からは、端子Ｑの電圧が出力される。
【００４３】
インバータ９３は、選択回路９２から出力された電圧を反転して出力する。
具体的には、インバータ９３の入力端は、選択回路９２の出力端に接続され、インバータ９３の出力端は、カウンタ９４の入力端に接続されている。このインバータ９３は、選択回路９２の出力端から出力された電圧が、所定の閾値電圧よりも電位が低ければ、電圧ＶＤＤを出力し、所定の閾値電圧よりも電位が高ければ、電圧ＧＮＤを出力する。
【００４４】
カウンタ９４は、端子Ｐの電圧に基づいてインバータ９３から電圧ＶＤＤが出力されるまでの時間を計測して、その値を保持する。別の期間において、選択回路９２を端子Ｑ側に接続してから、端子Ｑの電圧に基づいてインバータ９３から電圧ＶＤＤが出力されるまでの時間を計測して、その値を保持する。そして、両者の時間の差に基づいて、外光の照度を検出する。
具体的には、カウンタ９４の入力端は、インバータ９３の出力端に接続され、カウンタ９４の出力端は、ＬＵＴ９５の入力端に接続されている。このカウンタ９４は、端子Ｐの電圧に基づいてインバータ９３から電圧ＶＤＤが出力されると、時間の計測を終了して、その値を保持する。別の期間において、選択回路９２を端子Ｑ側に接続し、端子Ｑの電圧に基づいてインバータ９３から電圧ＶＤＤが出力されると、時間の計測を終了して、その値を保持する。
【００４５】
ＬＵＴ９５は、カウンタ９４で計測した２つの時間差に基づいて、外光の照度を検出するとともに、この検出した外光の照度を補正する。
このＬＵＴ９６の入力端は、カウンタ９４の出力端に接続されている。
【００４６】
まず、ＬＵＴ９５が、カウンタ９４で計測した時間に基づいて、外光の照度を検出する場合について説明する。
このＬＵＴ９５は、カウンタ９４で計測した時間に基づいて、外光の光量を判定し、判定した外光の光量から、外光の照度を検出する。
【００４７】
例えば、カウンタ９４で計測した２つの時間差が長いほど、端子Ｐの電圧が低下する度合いと、端子Ｑの電圧が低下する度合いと、が異なるということなので、第１のＰＩＮ型ダイオード８１が出力する電流と、第２のＰＩＮ型ダイオード８２が出力する電流と、の差分が大きいということである。これは、すなわち、外光の照度による影響が大きいということなので、外光の光量が多いと判定する。
【００４８】
一方、カウンタ９４で計測した２つの時間差が短いほど、端子Ｐの電圧が低下する度合いと、端子Ｑの電圧が低下する度合いと、が類似しているということなので、第１のＰＩＮ型ダイオード８１が出力する電流と、第２のＰＩＮ型ダイオード８２が出力する電流と、の差分が小さいということである。これは、すなわち、外光の照度による影響が小さいということなので、外光の光量が少ないと判定する。
【００４９】
以上のようにして判定した外光の光量に基づいて、外光の照度を検出する。
【００５０】
次に、ＬＵＴ９５が、検出した外光の照度を補正する場合について説明する。
このＬＵＴ９５は、端子Ｐの電圧に基づいて、第１のＰＩＮ型ダイオード８１の特性が変化した影響により変化した照度を求め、この変化した照度に基づいて、上述の検出した外光の照度を補正する。
【００５１】
以下に、ＬＵＴ９５の動作について、図２（ａ）および図２（ｂ）を参照しながら説明する。
図２（ａ）および図２（ｂ）では、横軸を時間とし、縦軸を電圧とし、時間の経過に対する端子Ｐ，Ｑの電圧の変化を示している。ただし、図２（ａ）および図２（ｂ）において、横軸に示す時間は、第１のＰＩＮ型ダイオード８１の特性が変化する時間と比べて、十分に短いものとする。また、電圧Ｖｔｈは、インバータ９３における上述の閾値電圧である。
【００５２】
まず、端子Ｑの電圧を測定する。すると、端子Ｑの電圧は、図２（ａ）の２点鎖線と、図２（ｂ）の２点鎖線と、で示すように、時間の経過とともに徐々に低下する。
【００５３】
具体的には、時刻ｔ０において、スイッチング素子９１２Ａをオン状態からオフ状態にする。すると、コンデンサ９１１Ａは、ＰＩＮ型ダイオード自体の温度といった外光の照度以外の影響に応じて端子Ｑに流れる電流に基づいて、満充電の状態から徐々に放電される。このため、端子Ｑの電圧は、時刻ｔ０では、電圧ＶＤＤであるが、徐々に低下して、時刻ｔ２では、電圧Ｖｔｈとなる。
【００５４】
次に、第１のＰＩＮ型ダイオード８１の特性が変化する前に、第１のＰＩＮ型ダイオード８１が遮光状態の場合における端子Ｐの電圧を測定する。すると、第１のＰＩＮ型ダイオード８１の特性が変化する前に測定した遮光状態における端子Ｐの電圧は、図２（ａ）の実線で示すように、時間の経過とともに低下する。
【００５５】
具体的には、時刻ｔ０では、第１のＰＩＮ型ダイオード８１の特性が変化する前に、第１のＰＩＮ型ダイオード８１を遮光状態にするとともに、スイッチング素子９１２をオン状態からオフ状態にする。すると、コンデンサ９１１は、ＰＩＮ型ダイオード自体の温度といった外光の照度以外の影響に応じて端子Ｐに流れる電流に基づいて、満充電の状態から徐々に放電される。ここで、第１のＰＩＮ型ダイオード８１は、特性が変化する前で、かつ、遮光状態であるので、第２のＰＩＮ型ダイオード８１と同一の電流を出力する。このため、図２（ａ）の２点鎖線で示した端子Ｑの電圧と同様に、端子Ｐの電圧は、時刻ｔ０では、電圧ＶＤＤであるが、時刻ｔ２では、電圧Ｖｔｈとなる。
【００５６】
なお、第１のＰＩＮ型ダイオード８１の特性が変化する前に、第１のＰＩＮ型ダイオード８１が受光状態の場合における端子Ｐの電圧は、実際には測定しないが、図２（ａ）の１点鎖線で示すように、時間の経過とともに低下する。
【００５７】
具体的には、時刻ｔ０では、第１のＰＩＮ型ダイオード８１の特性が変化する前に、第１のＰＩＮ型ダイオード８１を受光状態にするとともに、スイッチング素子９１２をオン状態からオフ状態にする。すると、コンデンサ９１１は、外光の照度のほか、ＰＩＮ型ダイオード自体の温度などに応じて端子Ｐに流れる電流に基づいて、満充電の状態から徐々に放電される。ここで、遮光状態の場合と比べて、端子Ｐには、外光の照度の影響の分だけ大きな電流が流れるので、コンデンサ９１１は、急激に放電される。このため、端子Ｐの電圧は、時刻ｔ０では、電圧ＶＤＤであるが、時刻ｔ１では、電圧Ｖｔｈとなる。
【００５８】
次に、第１のＰＩＮ型ダイオード８１の特性が変化した後に、第１のＰＩＮ型ダイオード８１が遮光状態の場合における端子Ｐの電圧を測定する。すると、第１のＰＩＮ型ダイオード８１の特性が変化した後に測定した遮光状態における端子Ｐの電圧は、図２（ｂ）の実線で示すように、図２（ａ）の実線で示した第１のＰＩＮ型ダイオード８１の特性が変化する前に測定した遮光状態における端子Ｐの電圧と比べて、時間の経過とともに急激に低下する。
【００５９】
具体的には、時刻ｔ０において、第１のＰＩＮ型ダイオード８１の特性が変化した後に、第１のＰＩＮ型ダイオード８１を遮光状態にするとともに、スイッチング素子９１２をオン状態からオフ状態にする。すると、コンデンサ９１１は、ＰＩＮ型ダイオード自体の温度といった外光の照度以外の影響に応じて端子Ｐに流れる電流に基づいて、満充電の状態から徐々に放電される。ここで、第１のＰＩＮ型ダイオード８１の特性が変化する前と比べて、端子Ｐには、第１のＰＩＮ型ダイオード８１の特性の変化の影響の分だけ大きな電流が流れるので、コンデンサ９１１は、急激に放電される。このため、端子Ｐの電圧は、時刻ｔ０では、電圧ＶＤＤであるが、時刻ｔ４では、電圧Ｖｔｈとなる。
【００６０】
次に、第１のＰＩＮ型ダイオード８１の特性が変化した後に、第１のＰＩＮ型ダイオード８１が受光状態の場合における端子Ｐの電圧を測定する。すると、第１のＰＩＮ型ダイオード８１の特性が変化した後に測定した受光状態における端子Ｐの電圧は、図２（ｂ）の１点鎖線で示すように、図２（ｂ）の実線で示した第１のＰＩＮ型ダイオード８１の特性が変化した後に測定した遮光状態の場合における端子Ｐの電圧と比べて、時間の経過とともに急激に低下する。
【００６１】
具体的には、時刻ｔ０において、第１のＰＩＮ型ダイオード８１の特性が変化した後に、第１のＰＩＮ型ダイオード８１を受光状態にするとともに、スイッチング素子９１２をオン状態からオフ状態にする。すると、コンデンサ９１１は、外光の照度のほか、ＰＩＮ型ダイオード自体の温度などに応じて端子Ｐに流れる電流に基づいて、満充電の状態から徐々に放電される。ここで、遮光状態の場合と比べて、端子Ｐには、外光の照度の影響の分だけ大きな電流が流れるので、コンデンサ９１１は、急激に放電される。このため、端子Ｐの電圧は、時刻ｔ０では、電圧ＶＤＤであるが、時刻ｔ３では、電圧Ｖｔｈとなる。
【００６２】
したがって、第１のＰＩＮ型ダイオード８１の特性が変化した後では、まず、以下のようにして、外光の照度を検出する。
すなわち、時刻ｔ３において、インバータ９３により、端子Ｐの電圧に基づいて電圧ＶＤＤが出力されるので、カウンタ９４により、時間の計測を終了して、その値を保持する。別の期間において、選択回路９２を端子Ｑ側に接続し、時刻ｔ２において、インバータ９３により、端子Ｑの電圧に基づいて電圧ＶＤＤが出力されるので、カウンタ９４により、時間の計測が終了して保持する。そして、カウンタ９４により計測した２つの時間差、すなわち時刻ｔ３から時刻ｔ２までの時間に基づいて、ＬＵＴ９５により、外光の照度を検出する。
【００６３】
次に、以下のようにして、検出した外光の照度を補正する。
すなわち、ＬＵＴ９５により、まず、時刻ｔ４から時刻ｔ２までの時間、すなわち、第１のＰＩＮ型ダイオード８１の特性が変化した後に測定した遮光状態の場合における端子Ｐの電圧が電圧Ｖｔｈとなる時刻から、第１のＰＩＮ型ダイオード８１の特性が変化する前に測定した遮光状態の場合における端子Ｐの電圧が電圧Ｖｔｈとなる時刻までの時間に基づいて、第１のＰＩＮ型ダイオード８１の特性が変化した影響により変化した照度を求める。次に、この変化した照度を、上述の検出した外光の照度に加算する。
【００６４】
図３は、受光装置１を搭載した電子機器としての携帯電話機２の構成を示す斜視図である。
携帯電話機２は、本体部５、光量制御部としての表示部６、および回動軸７を備える。
【００６５】
本体部５は、複数の操作ボタン１０を備える。これら複数の操作ボタン１０が操作されると、携帯電話機２は、種々の動作を行う。
【００６６】
表示部６は、液晶パネルＡＡ、バックライト（図示省略）、および筐体１５を備える。
バックライトは、液晶パネルＡＡに対向配置されて光を出射する。
液晶パネルＡＡには、バックライトからの光を利用して画像を表示する表示領域Ａと、表示領域Ａに隣接し、外光を受光する受光領域２１と、が形成されている。受光領域２１には、図１に示した第１のＰＩＮ型ダイオード８１が配置されている。
筐体１５は、表示部６のうち、表示領域Ａおよび受光領域２１を除く領域を覆って形成されている。筐体１５に覆われた領域の一部には、この筐体１５により外光が遮断される遮光領域２２が形成されている。遮光領域２２には、図１に示した第２のＰＩＮ型ダイオード８２が配置されている。
【００６７】
回動軸７は、本体部５と表示部６とを回動可能に接続する。すなわち、表示部６は、回動軸７を回動軸として、本体部５に対して所定の角度の範囲内で回動可能である。本体部５に対する表示部６の角度を最小にすると、携帯電話機２が折りたたまれた状態となり、本体部５に対する表示部６の角度を最大にすると、携帯電話機２が開かれた状態となる。
【００６８】
本体部５および表示部６には、回動軸７を基準として対称な位置に、スイッチ３１および凸部３２が設けられている。携帯電話機２が折りたたまれた状態になると、凸部３２がスイッチ３１に接触する。受光装置１は、凸部３２がスイッチ３１に接触している場合には、第１のＰＩＮ型ダイオード８１が遮光状態であるものとして動作し、凸部３２がスイッチ３１に接触していない場合には、第１のＰＩＮ型ダイオード８１が受光状態であるものとして動作する。
【００６９】
以上の携帯電話機２は、以下のように動作する。
すなわち、携帯電話機２が折りたたまれた状態では、表示部６により、受光領域２１に照射される外光が遮断される。このため、受光領域２１に配置された第１のＰＩＮ型ダイオード８１は、遮光状態となる。ここで、凸部３２がスイッチ３１に接触しているので、第１のＰＩＮ型ダイオード８１が遮光状態の場合における端子Ｐの電圧を測定する。そして、この測定した端子Ｐの電圧と、あらかじめ第１のＰＩＮ型ダイオード８１の特性が変化する前に測定した遮光状態の場合における端子Ｐの電圧と、に基づいて、第１のＰＩＮ型ダイオード８１の特性が変化した影響により変化した照度を求める。
【００７０】
一方、携帯電話機２を開いた状態では、受光領域２１に外光が照射される。このため、受光領域２１に配置された第１のＰＩＮ型ダイオード８１は、受光状態となる。ここで、凸部３２がスイッチ３１に接触していないので、第１のＰＩＮ型ダイオード８１が受光状態の場合における端子Ｐの電圧を測定するとともに、端子Ｑの電圧を測定する。そして、この第１のＰＩＮ型ダイオード８１が受光状態の場合に測定した端子Ｐの電圧と、端子Ｑの電圧と、に基づいて、外光の照度を検出する。そして、この検出した外光の照度に、上述の第１のＰＩＮ型ダイオード８１の特性が変化した影響により変化した照度を加算し、この加算した照度に応じて、バックライトから出射する光量を制御する。
【００７１】
本実施形態によれば、以下のような効果がある。
（１）ＬＵＴ９５により、第１のＰＩＮ型ダイオード８１が遮光状態の場合における端子Ｐの電圧に基づいて、照度検出回路９０により検出した外光の照度を補正した。
すなわち、まず、第１のＰＩＮ型ダイオード８１の特性が変化する前に、第１のＰＩＮ型ダイオード８１を遮光状態にして端子Ｐの電圧を測定した。次に、第１のＰＩＮ型ダイオード８１の特性が変化した後に、第１のＰＩＮ型ダイオード８１を遮光状態にして端子Ｐの電圧を測定するとともに、第１のＰＩＮ型ダイオード８１を受光状態にして端子Ｐの電圧を測定した。次に、第１のＰＩＮ型ダイオード８１の特性が変化する前に測定した遮光状態での端子Ｐの電圧と、第１のＰＩＮ型ダイオード８１の特性が変化した後に測定した遮光状態での端子Ｐの電圧と、の差分、すなわち第１のＰＩＮ型ダイオード８１の特性が変化した影響を求めた。次に、上述の差分に基づいて、照度検出回路９０により検出した外光の照度を補正した。
以上により、照度検出回路９０により検出した外光の照度を、第１のＰＩＮ型ダイオード８１の特性が変化した影響を考慮しつつ補正することで、第１のＰＩＮ型ダイオード８１の特性が変化しても、外光の照度を検出する際に誤差が生じるのを抑制できる。
【００７２】
＜第２実施形態＞
図４は、本発明の第２実施形態に係る受光装置１Ａの回路図である。
本実施形態に係る受光装置１Ａは、ＬＵＴ９５Ａの動作が、第１実施形態に係るＬＵＴ９５とは異なる。
【００７３】
ＬＵＴ９５Ａは、第１実施形態に係るＬＵＴ９５と同様に、カウンタ９４で計測した時間に基づいて、外光の照度を検出するとともに、第１のＰＩＮ型ダイオード８１が遮光状態の場合における端子Ｐの電圧と、端子Ｑの電圧と、に基づいて、検出した外光の照度を補正する。
【００７４】
以下に、ＬＵＴ９５Ａの動作について、図５（ａ）および図５（ｂ）を参照しながら説明する。
図５（ａ）および図５（ｂ）では、横軸を時間とし、縦軸を電圧とし、時間の経過に対する端子Ｐ，Ｑの電圧の変化を示している。ただし、図５（ａ）および図５（ｂ）において、横軸に示す時間は、第１のＰＩＮ型ダイオード８１の特性が変化する時間と比べて、十分に短いものとする。また、電圧Ｖｔｈは、インバータ９３における閾値電圧である。
【００７５】
まず、端子Ｑの電圧を測定する。すると、端子Ｑの電圧は、図２（ａ）の２点鎖線と、図２（ｂ）の２点鎖線と、で示したのと同様に、図５（ａ）の２点鎖線と、図５（ｂ）の２点鎖線と、で示すように、時間の経過とともに徐々に低下する。
このため、端子Ｑの電圧は、時刻ｔ１０では、電圧ＶＤＤであるが、徐々に低下して、時刻ｔ１２では、電圧Ｖｔｈとなる。
【００７６】
なお、第１のＰＩＮ型ダイオード８１の特性が変化する前に、第１のＰＩＮ型ダイオード８１が遮光状態の場合における端子Ｐの電圧と、第１のＰＩＮ型ダイオード８１が受光状態の場合における端子Ｐの電圧とは、実際には測定しないが、図２（ａ）の実線および１点鎖線で示したのと同様に、図５（ａ）の実線および１点鎖線で示すように、時間の経過とともに低下する。
【００７７】
このため、第１のＰＩＮ型ダイオード８１の特性が変化する前で、かつ、第１のＰＩＮ型ダイオード８１が遮光状態の場合における端子Ｐの電圧は、時刻ｔ１０では、電圧ＶＤＤであるが、時刻ｔ１２では、電圧Ｖｔｈとなる。
また、第１のＰＩＮ型ダイオード８１の特性が変化する前で、かつ、第１のＰＩＮ型ダイオード８１が受光状態の場合における端子Ｐの電圧は、時刻ｔ１０では、電圧ＶＤＤであるが、時刻ｔ１１では、電圧Ｖｔｈとなる。
【００７８】
次に、第１のＰＩＮ型ダイオード８１の特性が変化した後に、第１のＰＩＮ型ダイオード８１が遮光状態の場合における端子Ｐの電圧を測定する。すると、第１のＰＩＮ型ダイオード８１の特性が変化した後に測定した遮光状態における端子Ｐの電圧は、図２（ｂ）の実線で示したのと同様に、図５（ｂ）の実線で示すように、図５（ａ）の実線で示した第１のＰＩＮ型ダイオード８１の特性が変化する前に測定した遮光状態における端子Ｐの電圧と比べて、時間の経過とともに急激に低下する。
このため、第１のＰＩＮ型ダイオード８１の特性が変化した後で、かつ、第１のＰＩＮ型ダイオード８１が遮光状態の場合における端子Ｐの電圧は、時刻ｔ１０では、電圧ＶＤＤであるが、時刻ｔ１４では、電圧Ｖｔｈとなる。
【００７９】
次に、第１のＰＩＮ型ダイオード８１が受光状態の場合における端子Ｐの電圧を測定する。すると、第１のＰＩＮ型ダイオード８１の特性が変化した後に測定した受光状態における端子Ｐの電圧は、図２（ｂ）の１点鎖線で示したのと同様に、図５（ｂ）の１点鎖線で示すように、図５（ｂ）の実線で示した第１のＰＩＮ型ダイオード８１の特性が変化した後に測定した遮光状態の場合における端子Ｐの電圧と比べて、時間の経過とともに急激に低下する。
このため、第１のＰＩＮ型ダイオード８１の特性が変化した後で、かつ、第１のＰＩＮ型ダイオード８１が受光状態の場合における端子Ｐの電圧は、時刻ｔ１０では、電圧ＶＤＤであるが、時刻ｔ１３では、電圧Ｖｔｈとなる。
【００８０】
したがって、第１のＰＩＮ型ダイオード８１の特性が変化した後では、まず、以下のようにして、外光の照度を検出する。
すなわち、時刻ｔ１３において、インバータ９３により、端子Ｐの電圧に基づいて電圧ＶＤＤが出力されるので、カウンタ９４により、時間の計測が開始される。そして、時刻ｔ１２において、インバータ９３により、端子Ｑの電圧に基づいて電圧ＶＤＤが出力されるので、カウンタ９４により、時間の計測が終了される。よって、カウンタ９４により計測した時間、すなわち時刻ｔ１３から時刻ｔ１２までの時間に基づいて、ＬＵＴ９５Ａにより、外光の照度を検出する。
【００８１】
次に、以下のようにして、検出した外光の照度を補正する。
すなわち、ＬＵＴ９５Ａにより、まず、時刻ｔ１４から時刻ｔ１２までの時間、すなわち、第１のＰＩＮ型ダイオード８１の特性が変化した後に測定した遮光状態の場合における端子Ｐの電圧が電圧Ｖｔｈとなる時刻から、端子Ｑの電圧が電圧Ｖｔｈとなる時刻までの時間に基づいて、外光を受光したために第１のＰＩＮ型ダイオード８１の特性が変化した影響により変化した照度を求める。次に、この変化した照度を、上述の検出した外光の照度に加算する。
【００８２】
本実施形態によれば、以下のような効果がある。
（２）ＬＵＴ９５Ａにより、第１のＰＩＮ型ダイオード８１が遮光状態の場合における端子Ｐの電圧と、端子Ｑの電圧と、に基づいて、照度検出回路９０Ａにより検出した外光の照度を補正した。
すなわち、まず、第１のＰＩＮ型ダイオード８１を遮光状態にして端子Ｐの電圧を測定するとともに、端子Ｑの電圧を測定した。次に、測定した端子Ｐの電圧と、端子Ｑの電圧と、の差分、すなわち外光を受光したために第１のＰＩＮ型ダイオード８１の特性が変化した影響を求めた。次に、第１のＰＩＮ型ダイオード８１を受光状態にして端子Ｐの電圧を測定した。次に、上述の差分に基づいて、ＬＵＴ９５により照度検出回路９０により検出した外光の照度を補正した。
以上により、照度検出回路９０Ａにより検出した外光の照度を、外光を受光したことにより第１のＰＩＮ型ダイオード８１の特性が変化した影響を考慮しつつ補正することで、第１のＰＩＮ型ダイオード８１の特性が変化しても、外光の照度を検出する際に誤差が生じるのを抑制できる。
【００８３】
＜第３実施形態＞
図６は、本発明の第３実施形態に係る受光装置１Ｂの回路図である。
本実施形態に係る受光装置１Ｂは、第１の光電変換素子および第２の光電変換素子の構成が、第２実施形態に係る受光装置１Ａとは異なる。また、ＬＵＴ９５Ｂの動作が、第２実施形態に係るＬＵＴ９５Ａとは異なる。
【００８４】
受光装置１Ｂは、第１の光電変換素子としての第１のフォトトランジスタ８１Ａと、この第１のフォトトランジスタ８１Ａに駆動電圧を供給する第１の駆動電源８３と、第２の光電変換素子としての第２のフォトトランジスタ８２Ａと、この第２のフォトトランジスタ８２Ａに駆動電圧を供給する第２の駆動電源８４と、照度検出回路９０Ｂと、を備える。
【００８５】
第１のフォトトランジスタ８１Ａは、外光を受光する受光状態、または、外光が遮断される遮光状態のいずれかの状態となる。
第１のフォトトランジスタ８１Ａのソースは、端子Ｐに接続され、第１のフォトトランジスタ８１Ａのドレインは、基準電位電源の電圧ＧＮＤに接続され、第１のフォトトランジスタ８１Ａのゲートは、第１の駆動電源８３に接続されている。
【００８６】
第１のフォトトランジスタ８１Ａは、第１の駆動電源８３からゲートにオフ電圧が供給されて、オフ状態となっている。このオフ状態の第１のフォトトランジスタ８１Ａからは、受光状態では、外光の照度のほか、フォトトランジスタ自体の温度などに応じて、ソースからドレインに向かって漏れ電流が出力される。一方、遮光状態では、フォトトランジスタ自体の温度といった外光の照度以外の影響に応じて、ソースからドレインに向かって漏れ電流が出力される。
【００８７】
この第１のフォトトランジスタ８１Ａから出力される漏れ電流は、コンデンサ９１１に充電された電荷を徐々に放電させるので、端子Ｐは、コンデンサ９１１に放電されずに残っている電荷に応じた電圧となる。
【００８８】
第２のフォトトランジスタ８２Ａは、常に遮光状態である。
第２のフォトトランジスタ８２Ａのソースは、端子Ｑに接続され、第２のフォトトランジスタ８２Ａのドレインは、基準電位電源の電圧ＧＮＤに接続され、第２のフォトトランジスタ８２Ａのゲートは、第２の駆動電源８４に接続されている。
【００８９】
第２のフォトトランジスタ８２Ａは、第２の駆動電源８４からゲートにオフ電圧が供給されて、オフ状態となっている。このオフ状態の第２のフォトトランジスタ８２Ａからは、常に遮光状態なので、フォトトランジスタ自体の温度といった外光の照度以外の影響に応じて、ソースからドレインに向かって漏れ電流が出力される。
【００９０】
この第２のフォトトランジスタ８２Ａから出力される漏れ電流は、コンデンサ９１１Ａに充電された電荷を徐々に放電させるので、端子Ｑは、コンデンサ９１１Ａに放電されずに残っている電荷に応じた電圧となる。
【００９１】
本実施形態に係るＬＵＴ９５Ｂは、第２実施形態に係るＬＵＴ９５Ａと比べて、以下のように動作する。
すなわち、第２実施形態に係るＬＵＴ９５Ａは、第１のＰＩＮ型ダイオード８１が遮光状態の場合における端子Ｐの電圧と、端子Ｑの電圧と、に基づいて、外光を受光したために第１のＰＩＮ型ダイオード８１の特性が変化した影響により変化した照度を求め、この変化した照度を、照度検出回路９０Ａにより検出した外光の照度に加算した。
これに対して、本実施形態に係るＬＵＴ９５Ｂは、第１のフォトトランジスタ８１Ａが遮光状態の場合における端子Ｐの電圧と、端子Ｑの電圧と、に基づいて、第１の駆動電源８３から第１のフォトトランジスタ８１Ａのゲートに供給されるオフ電圧、または、第２の駆動電源８４から第２のフォトトランジスタ８２Ａのゲートに供給されるオフ電圧のうち少なくともいずれかを制御して、端子Ｐおよび端子Ｑを同電位とする。
【００９２】
本実施形態によれば、以下のような効果がある。
（３）ＬＵＴ９５Ｂにより、第１のフォトトランジスタ８１Ａが遮光状態の場合における端子Ｐの電圧と、端子Ｑの電圧と、に基づいて、第１の駆動電源８３から第１のフォトトランジスタ８１Ａのゲートに供給されるオフ電圧、または、第２の駆動電源８４から第２のフォトトランジスタ８２Ａのゲートに供給されるオフ電圧のうち少なくともいずれかを制御した。
すなわち、まず、第１のフォトトランジスタ８１Ａを遮光状態にして端子Ｐの電圧を測定するとともに、端子Ｑの電圧を測定した。次に、測定した端子Ｐの電圧と、端子Ｑの電圧と、の差分、すなわち外光を受光したために第１のフォトトランジスタ８１Ａの特性が変化した影響を求めた。次に、この差分に基づいて、第１の駆動電源８３から第１のフォトトランジスタ８１Ａのゲートに供給されるオフ電圧、または、第２の駆動電源８４から第２のフォトトランジスタ８２Ａのゲートに供給されるオフ電圧のうち少なくともいずれかを制御した。
以上により、第１のフォトトランジスタ８１Ａが遮光状態の場合における端子Ｐの電圧と、端子Ｑの電圧と、を等しくすることで、第１のフォトトランジスタ８１Ａが受光状態の場合における端子Ｐの電圧と、端子Ｑの電圧と、の間から、外光を受光したことにより第１のフォトトランジスタ８１Ａの特性が変化した影響を除去できる。よって、光を受光したことにより第１のフォトトランジスタ８１Ａの特性が変化しても、外光の照度を検出する際に誤差が生じるのを抑制できる。
【００９３】
＜変形例＞
なお、本発明は上述の各実施形態に限定されるものではなく、本発明の目的を達成できる範囲での変形、改良等は本発明に含まれるものである。
例えば、上述の第１実施形態および第２実施形態では、光電変換素子としてＰＩＮ型ダイオードを用い、上述の第３実施形態では、光電変換素子としてフォトトランジスタを用いたが、これに限らず、例えばフォトダイオードであってもよい。
【００９４】
また、上述の第１実施形態では、受光装置１を携帯電話機２に搭載したが、これに限らず、例えば情報携帯端末や液晶テレビに搭載してもよい。
【００９５】
また、上述の第１実施形態では、携帯電話機２が折りたたまれた状態になると、ＬＵＴ９５が、第１のＰＩＮ型ダイオード８１が遮光状態の場合における端子Ｐの電圧を測定する構成としたが、これに限らない。例えば、所定の操作ボタン１０が操作されると、所定の遮光機構が受光領域２１を遮光し、ＬＵＴ９５が、第１のＰＩＮ型ダイオード８１が遮光状態の場合における端子Ｐの電圧を測定する構成としてもよい。
【図面の簡単な説明】
【００９６】
【図１】本発明の第１実施形態に係る受光装置の回路図。
【図２】前記受光装置のタイミングチャート。
【図３】前記受光装置を搭載した携帯電話機の構成を示す斜視図。
【図４】本発明の第２実施形態に係る受光装置の回路図。
【図５】前記受光装置のタイミングチャート。
【図６】本発明の第３実施形態に係る受光装置の回路図。
【符号の説明】
【００９７】
１，１Ａ，１Ｂ…受光装置、２…携帯電話機（電子機器）、５…本体部、６…表示部（光量制御部部）、７…回動軸、２１…受光領域、２２…遮光領域、８１…第１のＰＩＮ型ダイオード（第１の光電変換素子）、８１Ａ…第１のフォトトランジスタ（第１の光電変換素子）、８２…第２のＰＩＮ型ダイオード（第２の光電変換素子）、８２Ａ…第２のフォトトランジスタ（第２の光電変換素子）、９０，９０Ａ，９０Ｂ…照度検出回路、９１…第１の検知回路、９１Ａ…第２の検知回路、９５，９５Ａ，９５Ｂ…ＬＵＴ（補正部）。
【図１】
2008033226.tif 000003
【図２】
2008033226.tif 000004
【図３】
2008033226.tif 000005
【図４】
2008033226.tif 000006
【図５】
2008033226.tif 000007
【図６】
2008033226.tif 000008